(57)【要約】      （修正有）【課題】神社仏閣に参拝して購入できるお守りにその購入者にカスタマーＩＤを付与し、必要に応じて特定の神社仏閣と祈願通信できるようにして御利益パワーを取得できるシステムに利用できる通信お守りを提供する。【解決手段】カスタマーＩＤを電子的に付されたお守り又はお札であって、前記お守り又はお札は各神社に配置されたリーダに参拝と同時に誘導電磁界又は電波により非接触で半導体メモリのデータを読み出し、書き込みのために近距離通信を行い、各リーダから購入されたお守り又はお札のカスタマーＩＤがセンターに登録されるようにする。また、携帯端末を介してお守りやお札のバーコードなどを光学的に読み取り、インターネットを介して各神社のコンテンツサーバに接続して登録されたカスタマーＩＤを照合することにより各神社のお守り又はお札アプリを購入可能として通信お守り又はお札を構成する。【選択図】図１
0003169374.tif 000002
【実用新案登録請求の範囲】
【請求項１】
ａ）半導体チップ２１とアンテナ２２とからなり、誘導磁界または電波によって非接触で半導体メモリのデータを読み出し、書き込みのために近距離通信を行う機能を有し、識別情報としてカスタマーＩＤと神社ＩＤを付され、各神社に設置のリーダにより参拝記録等としてデータ読み込みが可能なＲＦＩＤタグ２０およびｂ）携帯端末又はＰＣ３００を介してコンテンツサーバ４００からセンターサーバ５００に通信可能な通信アプリをダウンロード可能な識別情報としてカスタマーＩＤ、神社ＩＤおよび神社アドレス等のＵＲＬ情報を含む光学的読み取りコード３０とからなることを特徴とする通信お守り。
【請求項２】
、
ＲＦＩＤタグ２０がパッシブ形式で、各神社のリーダで読み出されるカスタマーＩＤとともに神社ＩＤを備え、参拝日時を神社リーダ１００および神社通信端末２００を介して神社登録センター５００に送信され、識別情報として登録可能な機能を有するとともに、
前記光学的読み取りコード３０がＱＲコードで、携帯端末またはＰＣ３００を介してコンテンツサーバ４００から各神社の通信祈願アプリを携帯端末またはＰＣ３００にダウンロードして携帯端末又はＰＣ３００を通信祈願アプリを用いて通信祈願を可能化するとともに、
前記通信祈願アプリはダウンロードした携帯端末又はＰＣ３００を用い、参拝時のＩＤを登録した神社登録センターの神社センターサーバ５００に対し送信することにより各神社の通信端末２００に祈願通信を課金を伴ってまたは伴わず行えることを特徴とする請求項１記載の通信お守り。
【考案の詳細な説明】
【技術分野】
【０００１】
本考案は、お守りまたはお札にＲＦＩＤタグ及び／又はＱＲコードを付設し、個人および神社識別機能(カスタマーＩＤおよび神社ＩＤ)を持たせ、各自の携帯端末又はＰＣを介して通信可能な機能を有する通信お守りに関する。
【背景技術】
【０００２】
神社・仏閣へ参拝し購入していたおみくじ、お守り、絵馬等を、容易に取得できるシステムとして、サーバの記憶装置に、おみくじ情報と、発生確立情報と、メッセージ情報とを記憶すると共に、購入者が端末の金銭収納部に代金を投入後、購入したい神社・仏閣を選択することにより、サーバの制御装置は、複数枚の画像を個別に高速で変化表示する一方、おみくじ購入者が高速で入れ替わり変化する画像を順次停止させることにより得られた画像の組合せにより、おみくじ情報を取得し、メッセージ情報からメッセージ及びメッセージ画像を取得し、取得された画像等を編集し、多機能端末に送信して多機能端末の表示部に表示すると共に、印刷部から印刷される。更に、購入したと同じおみくじ画像などを携帯端末の表示部に表示するバーチャル購入システムが提案されている（特許文献１）。
しかしながら、神社・仏閣のお守りは、神社仏閣に参拝した者に対し販売されるもので、通常販売前に神社・仏閣で予めお守りに対し祈祷されるため、お守りには神社・仏閣のご利益が化体しており、そのため、大勢の人が神社・仏閣のお守りを買い求めるのであるが、参拝せずバーチャルな意識での購入は祈祷の御利益があるかどうか疑心暗鬼になるものである。
【０００３】
そこで、神社・仏閣で祈祷済みの祈祷済お守り画像データを配信することができ、配信先の携帯端末を神社・仏閣のお守りと同等のご利益があるお守りとして広く一般のユーザーが利用できる祈祷済お守り画像を配信する技術が提案されている（特許文献２）。
【先行技術文献】
【特許文献】
【０００４】
【特許文献１】特許公開２００２−２７３０４１号公報
【特許文献２】特許公開２００３−３０２００号公報
【考案の開示】
【考案が解決しようとする課題】
【０００５】
しかしながら、この祈祷済お守り画像配信システムは、一般会員に配信する配信画像が、神社・仏閣で祈祷済のお守り画像データであり、該お守り画像データを格納して管理するお守り画像データベースと、お守り画像の配信要求があると、前記お守り画像データベースから所望の祈祷済のお守り画像データを検索して、一般会員の通信端末に配信するお守り画像配信手段とを備え、一般会員の通信端末からお守り画像データの配信要求があると、お守り画像配信手段によって、配信要求の検索条件に応じて、お守り画像データベースから所望の祈祷済お守り画像データが検索され、当該一般会員の通信端末に配信されるようになっているため、実際に足を運んで参拝し、祈祷をして購入したお守りでなく、祈祷依頼は各個人特有の依頼にも関わらず、祈祷済のお守りは既に購入者の特定もなく、同一の画像データが広く携帯端末に配信されるだけで神社・仏閣に参拝し購入した特定のお守りと同等のご利益があるが疑わしくなるというバーチャル取引の欠点を有している。
【０００６】
そこで、本考案の目的は、御利益のあるお守りとして神社仏閣に参拝して購入できるお守り又はお札であって、さらにそのお守りの購入者を特定し、購入者固有のお守りとして購入者に与えられるカスタマーＩＤを神社仏閣で登録することにより特定のお守り又はお札となし、その購入者に限りかつ一定の有効期限又は回数内で継続してネット配信によって特定の神社仏閣と祈願通信できるようにして御利益パワーを取得できるシステムに利用できる通信祈願お守りを提供することにある。
したがって、本考案の課題はお守り又はお札の購入者を特定するには販売者の神社だけでなく、カスタマーを特定できるＩＤを付与し、これを神社仏閣で登録する一方、お守り購入者の各個人の携帯端末等の通信手段を介してコンテンツサーバに誘導し、ダウンロードした通信アプリを介してカスタマーＩＤを持って神社登録センターに通信することによって神社登録センターで参拝者と神社とを管理することができるようにすることである。
【課題を解決するための手段】
【０００７】
本考案はａ）半導体チップとアンテナとからなり、誘導磁界または電波によって非接触で半導体メモリのデータを読み出し、書き込みのために近距離通信を行う機能を有し、識別情報としてカスタマーＩＤと神社ＩＤを付され、各神社に設置のリーダにより参拝記録等としてデータ読み込みが可能なＲＦＩＤタグおよびｂ）携帯端末又はＰＣを介してコンテンツサーバからセンターサーバに通信可能な通信アプリをダウンロード可能な識別情報としてカスタマーＩＤ、神社ＩＤおよび神社アドレス等のＵＲＬ情報を含む光学的読み取りコードとからなることを特徴とする通信お守りを提供するものである。本考案において、お守りとは神社仏閣で配布されるお守り、お札だけでなく、祭礼に用いられる絵馬、護符、縁起物などを総称するものをいう。
【考案の効果】
【０００８】
本考案の構成によれば、神社仏閣に参拝した者のみが購入するお守りまたはお札に神社の参拝を読み取り、登録するシステムをもってお守りまたはお札を購入した者にカスタマーＩＤを付与して神社の神社登録センターに登録する一方、携帯端末機能を活用してお守りアプリを購入できるようにし、神社に対し祈願通信を可能とさせることができるので、お守りまたはお札に対し通信機能を持たせ、情報化時代の新規機能をもたせることができる。
【図面の簡単な説明】
【０００９】
【図１】本考案の通信お守りの概要を示す平面図である。
【図２】本考案の通信お守りを使った通信祈願システムの全体図である。
【考案を実施するための最良の形態】
【００１０】
次に、本考案の実施例について説明する。図1は、本考案の通信お守りの利用を図る全体システム構成を示す説明図で、通信お守り１０、神社リーダ１００、神社通信端末２００、携帯端末又はＰＣ３００、コンテンツサーバ４００及び神社センターサーバ５００とからなり、インターネットに代表されるネットワークＮＴにより接続されている。
【００１１】
通信お守り１０はお守り袋内にＲＥＩＤタグ２０と光学的読み取りコード３０とを備えるシートまたはカードが収納されており、ＲＥＩＤタグ２０は半導体チップ２１とアンテナ２２とからなり、誘導磁界または電波によって非接触で半導体チップ２１のメモリデータを読み出し、書き込みのために近距離通信を行う機能を有し、識別情報としてカスタマーＩＤ及び神社ＩＤを付されている。他方、光学的読み取りコード３０はＱＲコードからなり、識別情報としてカスタマーＩＤ、神社ＩＤおよび神社アドレス等のＵＲＬ情報を含む。
【００１２】
リーダ１００はお守り等を販売する各神社に配置され、参拝と同時に誘導電磁界又は電波により非接触で前記ＲＦＩＤタグの半導体メモリのデータを読み出し、書き込みのために近距離通信を行うＲＦＩＤタグリーダからなる。リーダ１００は常時読み取り可能な状態として置き、祈祷料及びお賽銭の課金時に、課金データが神社通信端末２００から神社センターサーバ５００に送信されるようにしてもよい。
【００１３】
各神社の通信端末２００はリーダ１００から受信したカスタマーＩＤとともに神社ＩＤ、参拝日時等を神社センターサーバ５００に送信する一方、神社センターサーバ５００からの指令を受信する端末である。
【００１４】
神社センターサーバ５００は前記神社通信端末から送信信号を受けてお守り購入時のカスタマーＩＤを神社ＩＤともに初期登録するだけでなく、各参拝毎に各神社のリーダで読み取った参拝信号を神社通信端末２００から受けて参拝記録を登録可能である神社登録センターである。神社登録センターは神社通信端末１００と各クライアントの携帯端末又はＰＣ３００との各種通信を管理する機能を果たし、Ｙａｈｏｏ又はＧｏｏｇｌｅ等のサーバ会社を利用して運営することができる。
【００１５】
携帯端末又はＰＣ３００は、通常前記光学的読み取りコードを読み取るリーダを備え、光学読み取りした情報を、コンテンツサーバ４００に送信するとともに前記神社登録センターに送信する。
【００１６】
コンテンツサーバ４００は携帯端末３００などの前記光学的読み取りコードの情報信号をインターネットを介して受け、各神社のお守り又はお札通信アプリを携帯端末またはＰＣに送信する機能を備え、ｄｏｃｏｍｏ，ａｕ，ｓｏｆｔｂａｎｋなど各社サーバを利用して運営することができる。
【００１７】
アプリ購入後の携帯端末３００は前記アプリを介して参拝時のＩＤを登録した神社登録センターの神社センターサーバに対し祈願通信を有料または無料で行うことができ、神社登録センターの神社センターサーバ５００は各祈願通信を神社通信端末２００に送信して各種祈祷を行うことになるので、携帯端末３００に通信お守り機能を持たせることができる。
【００１８】
以下、具体的ルーチンを図１に基づいて説明する。
１００は神社内に設置されるＲＦＩＤタグリーダで、通信端末２００に接続される。通信お守り１０のＲＦＩＤタグ２０を参拝時に神社リーダ１００にかざして神社参拝を行う（Ｓ１００）と、リーダ１００はそれを読み取り（Ｓ１０１）、神社の通信端末２００に送信する（Ｓ１０２）。通信端末２００はその参拝信号を神社センターサーバ５００に送信し（Ｓ１０３）、神社センターサーバ５００はカスタマーＩＤ及び神社ＩＤとともに参拝日時を登録する。次いで、お守り１０のＱＲコード３０を携帯端末３００に読み取らせ（Ｓ２０１）、それに基づき、コンテンツサーバ４００に接続すると（Ｓ２０２）、コンテンツサーバ４００は携帯端末３００に神社センターサーバ５００への接続のための通信アプリをダウンロードさせる（Ｓ２０３）。そこで、カスタマーは携帯端末３００を用いて通信アプリを介して神社センターサーバ５００に対し祈願通信を行うと（Ｓ２０４）、神社センターサーバ５００はこれを受け付け、携帯端末３００に返信する（Ｓ２０５）とともに神社の通信端末２００に祈願依頼を報告する（Ｓ２０６）。神社は通信端末に送信された依頼書を打ち出し、これを祈祷するとともに、祈祷済み報告を神社センターサーバ５００を介して又は直接に各携帯端末２００に通信する（Ｓ２０７）。祈祷料又はお賽銭は神社参拝でのリーダ１００での読み取り時に実マネー又は電子マネーによる課金によりリーダを有効化させ、リーダ１００の読み取りを通信端末２００を介して神社センターサーバ５００に記録させ、祈祷有効期間の管理をすることができる。
【図１】
0003169374.tif 000003
【図２】
0003169374.tif 000004